(57)【特許請求の範囲】
【請求項１】
行を示唆する複数本の罫線が施された用紙を具備してなるノートであって、
前記各罫線が、線状部と空白部とを交互に配してなる罫線本体と、少なくとも前記線状部に交差することなく前記各空白部にそれぞれ対応させて前記罫線本体に接近配置された複数の補助線部とを備えたものであり、
前記各補助線部が、前記罫線本体に対して直角をなす向きに配され、罫線本体を構成する各線状部よりも短く、かつ罫線本体と罫線本体との間の行間ピッチよりも短く、罫線本体の線状部と線状部との間の空白部の中央である仮想中央点またはその近傍を離れた位置から指し示しており、罫線本体の線状部を延長させた延長線に重ならないノート。
【請求項２】
各空白部の両側に位置する線状部の端と、前記各補助線部の前記空白部に臨む端とによって空白の円形または半円形がそれぞれ形成されている請求項１記載のノート。
【請求項３】
行を示唆する複数本の罫線が施された用紙を具備してなるノートであって、
前記各罫線が、線状部と空白部とを交互に配してなる罫線本体と、少なくとも前記線状部に交差することなく前記各空白部にそれぞれ対応させて前記罫線本体に接近配置された複数の補助線部とを備えたものであり、
前記各補助線部が、前記罫線本体に対して直角をなす向きに配され、罫線本体を構成する各線状部よりも短く、かつ罫線本体と罫線本体との間の行間ピッチよりも短く、罫線本体の線状部と線状部との間の空白部を貫通して突出する線分であるノート。
【請求項４】
行を示唆する複数本の罫線が施された用紙を具備してなるノートであって、
前記各罫線が、線状部と空白部とを交互に配してなる罫線本体と、少なくとも前記線状部に交差することなく前記各空白部にそれぞれ対応させて前記罫線本体に接近配置された複数の補助線部とを備えたものであり、
前記各補助線部が、前記罫線本体に対して平行をなす向きに配され、罫線本体を構成する各線状部よりも短く、かつ罫線本体と罫線本体との間の行間ピッチよりも短く、罫線本体の線状部を延長させた延長線に重ならないノート。
【請求項５】
行を示唆する複数本の罫線が施されてなり、
前記各罫線が、線状部と空白部とを交互に配してなる罫線本体と、少なくとも前記線状部に交差することなく前記各空白部にそれぞれ対応させて前記罫線本体に接近配置された複数の補助線部とを備えたものであり、
前記各補助線部が、前記罫線本体に対して直角をなす向きに配され、罫線本体を構成する各線状部よりも短く、かつ罫線本体と罫線本体との間の行間ピッチよりも短く、罫線本体の線状部と線状部との間の空白部の中央である仮想中央点またはその近傍を離れた位置から指し示しており、罫線本体の線状部を延長させた延長線に重ならない用紙。
【請求項６】
行を示唆する複数本の罫線が施されてなり
前記各罫線が、線状部と空白部とを交互に配してなる罫線本体と、少なくとも前記線状部に交差することなく前記各空白部にそれぞれ対応させて前記罫線本体に接近配置された複数の補助線部とを備えたものであり、
前記各補助線部が、前記罫線本体に対して直角をなす向きに配され、罫線本体を構成する各線状部よりも短く、かつ罫線本体と罫線本体との間の行間ピッチよりも短く、罫線本体の線状部と線状部との間の空白部を貫通して突出する線分である用紙。
【請求項７】
行を示唆する複数本の罫線が施されてなり、
前記各罫線が、線状部と空白部とを交互に配してなる罫線本体と、少なくとも前記線状部に交差することなく前記各空白部にそれぞれ対応させて前記罫線本体に接近配置された複数の補助線部とを備えたものであり、
前記各補助線部が、前記罫線本体に対して平行をなす向きに配され、罫線本体を構成する各線状部よりも短く、かつ罫線本体と罫線本体との間の行間ピッチよりも短く、罫線本体の線状部を延長させた延長線に重ならない用紙。
【発明の詳細な説明】
【技術分野】
【０００１】
本発明は、筆記用のノート及び用紙に関する。
【背景技術】
【０００２】
従来より、紙面に行を示唆する複数本の罫線を施した用紙を具備するノートが知られている。この種のノートは、単純な実線により構成された罫線に沿って文字などを整然と記述することができるため、様々な行間ピッチに対応するものが広く普及している（以下、このものを「普通罫線タイプ」という）。ところが、このような普通罫線タイプのものでは、罫線が伸びる行の方向、横書き用ノートでは左右方向の位置決め目安が存在しないため、文頭を揃えたり、図形を描いたりする場合に不便を感じる使用者が少なくない。
【０００３】
そのため、前述した普通の罫線に加えて、罫線と直交する縦の線を入れた方眼紙状のものも開発されている（以下、このものを「縦横罫線タイプ」という）。しかしながら、かかる縦横罫線タイプは、見た目が煩雑な上、縦横の規制が細かく明確であるため、使用者の自由度を制限するきらいがある。
【０００４】
このような事情を背景にして、ドット入りの罫線を用いたノートが開発されている（例えば、下記非特許文献１を参照。以下、このものを「ドット罫線タイプ」という）。このドット入りの罫線は、罫線の主体をなす実線上にドットを等間隔に重畳させたものであり、使用者の自由度を強く制限することなしに普通罫線タイプの欠点を補うことができるということで、好評を博している。
【０００５】
ところで、近時、かかるドット罫線タイプの利点を大きく損ねることなく、より好印象で使い勝手の良い、新たなノートの出現が望まれつつある。かかる要望は、横書き用のものに限らず、縦書き用のものにも同様に存在する。
【先行技術文献】
【非特許文献】
【０００６】
【非特許文献１】コクヨ株式会社、“ドット入り罫線とは−ドット入り罫線シリーズ−コクヨステーショナリー”、［ｏｎｌｉｎｅ］、平成２８年、コクヨ株式会社、［平成２８年２月１日検索］、インターネット＜ＵＲＬ：https://www.kokuyo-st.co.jp/stationery/dotkei/＞
【発明の概要】
【発明が解決しようとする課題】
【０００７】
本発明は、以上のような事情に鑑みてなされたもので、前述した要望に応えることができるノートまたは用紙を提供することを所期の目的としている。
【課題を解決するための手段】
【０００８】
本発明に係るノートは、行を示唆する複数本の罫線が施された用紙を具備してなるノートであって、前記各罫線が、線状部と空白部とを交互に配してなる罫線本体と、少なくとも前記線状部に交差することなく前記各空白部にそれぞれ対応させて前記罫線本体に接近配置された複数の補助線部とを備えているものである。
【０００９】
前記各補助線部は、例えば、前記罫線本体に対して直角をなす向きに配され、罫線本体を構成する各線状部よりも短く、かつ罫線本体と罫線本体との間の行間ピッチよりも短く、罫線本体の線状部と線状部との間の空白部の中央である仮想中央点またはその近傍を離れた位置から指し示しており、罫線本体の線状部を延長させた延長線に重ならない。このとき、各空白部の両側に位置する線状部の端と、前記各補助線部の前記空白部に臨む端とによって、空白の円形または半円形がそれぞれ形成されることがある。前記罫線が左右方向に延びるものである場合、前記補助線部は前記罫線本体の下側にのみ施されていることも好ましい。
【００１０】
また、前記各補助線部は、前記罫線本体に対して直角をなす向きに配され、罫線本体を構成する各線状部よりも短く、かつ罫線本体と罫線本体との間の行間ピッチよりも短く、罫線本体の線状部と線状部との間の空白部を貫通して突出する線分であることがある。
【００１１】
あるいは、前記各補助線部が、前記罫線本体に対して平行をなす向きに配され、罫線本体を構成する各線状部よりも短く、かつ罫線本体と罫線本体との間の行間ピッチよりも短く、罫線本体の線状部を延長させた延長線に重ならない態様もとり得る。
【００１３】
前記補助線部は、前記線状部と同一または略同一の線幅を有したものであることが好ましい。
【００１４】
本発明は、ノートの各ページを構成する用紙だけでなく、一枚単位に分離可能なルーズリーフ、レポート用紙、メモ帳その他の用紙に適用することができる。
【発明の効果】
【００１５】
本発明によれば、ドット罫線タイプの利点を大きく損ねることなく、より好印象で使い勝手の良い、新たなノートまたは用紙を実現できる。
【図面の簡単な説明】
【００１６】
【図１】本発明の一実施形態のノートを見開いた状態を示す平面図。
【図２】同実施形態のノートの片側のページを構成する用紙の平面図。
【図３】同実施形態のノートの用紙の要部を拡大した平面図。
【図４】同実施形態のノートの用紙を用いた作業検査の内容を説明する図。
【図５】本発明の変形例の一を示す要部を拡大した平面図。
【図６】本発明の変形例の一を示す要部を拡大した平面図。
【図７】本発明の変形例の一を示す要部を拡大した平面図。
【図８】本発明の変形例の一を示す要部を拡大した平面図。
【図９】本発明の変形例の一を示す要部を拡大した平面図。
【図１０】本発明の変形例の一を示す平面図。
【図１１】従来のノートの用紙の要部を拡大した平面図。
【図１２】従来のノートの用紙の要部を拡大した平面図。
【発明を実施するための形態】
【００１７】
本発明の一実施形態を、図面を参照して説明する。図１ないし図３に、本実施形態に係るノートを示している。図１は本実施形態のノートを見開いた状態、図２は同ノートの片側のページ１、図３は同ノートのページ１の一部を拡大したものである。本実施形態のノートは、行を示唆する複数本の罫線が施された複数枚の用紙１を綴じたものであり、その各ページを構成する用紙１上の各罫線が、線状部２１と空白部２２とを交互に配してなる罫線本体たる主罫線２と、線状部２１に交差することなく前記各空白部２２にそれぞれ対応させて主罫線２に接近配置された複数の補助線部３とを備えている。
【００１８】
主罫線２は、各ページ１の行が伸びる方向に沿って延伸する。本実施形態のノートは横書き用のものであることから、主罫線２はノートのページ１の左右方向に沿って延伸している。主罫線２の要素となる一本一本の線状部２１はそれぞれ、細い実線である。但し、線状部２１が破線または鎖線等であることを排除するものではない。各線状部２１の左右方向に沿った長さ、換言すれば各線状部２１の両側に存在する空白部２２間の距離は、行間ピッチ（例えば、約７ｍｍ）、即ち上下方向に配列されている主罫線２間の距離に概ね等しい（例えば、約６．３２ｍｍ）。線状部２１同士を隔てる空白部２２の左右方向に沿った幅寸法は、各線状部２１の長さよりも顕著に小さく、具体的には線状部２１の長さの１／９以下（例えば、約０．６８ｍｍ）である。
【００１９】
補助線部３は、上下方向に伸びる短い線分であり、主罫線２に対して直角をなす向きに配されている。各補助線部３の上下方向に沿った長さは、行間ピッチの１／１４程度（例えば、約０．５ｍｍ）である。但し、補助線部３の長さが極めて短く、点に近いようなものであっても構わない。あるいは逆に、補助線部３の長さを行間ピッチの１／７程度まで延長することも許される。
【００２０】
ある主罫線２に最接近している補助線部３と、他の主罫線２に最接近している補助線部３とは連続しておらず、両者の間に行間ピッチに匹敵する大きな空隙があって、その空隙により行に沿った筆記が徒に妨げられない。補助線部３の線幅（線の太さ、その延伸方向と直交する左右方向に沿った幅の太さ）は、主罫線２の線状部２１の線幅（線の太さ、上下方向に沿った幅の太さ）と同一（例えば、０．１４ポイント＝約０．０４９ｍｍ）であるか、またはこれに略等しい。図３に示すように、各補助線部３は、主罫線２の空白部２２の左右方向の中央である仮想中央点２２１を、当該中央点２２１より離れた位置から指し示している。各補助線部３を上下方向に延長させると、その延長線は仮想中央点２２１またはその近傍に到達し、主罫線２の線状部２１とは交わらない。本実施形態にあって、補助線部３は主罫線２の下側にのみ施され、主罫線２の上側には施されていない。補助線部３の上端は、当該補助線部３に近接している主罫線２の線状部２１よりも下方に（例えば、約０．２５ｍｍ）ずれている。つまり、補助線部３は、主罫線２の線状部２１を左右方向に延長させた延長線には重ならない。
【００２１】
主罫線２における各空白部２２の両側に位置する二本の線状部２１の互いに対向する側端と、空白部２２を指向する補助線部３の当該空白部２２に臨む上端とは、図３中に網掛けにより表すように、半円形状または円形状をなす空白Ｓに接し得る。加えて、各行の主罫線２に付随し、その左右方向における所定位置にある多数の補助線部３が、上下方向に沿って一直線上に並んでいる。これらにより、本ノートの使用者に対する錯視（主観的輪郭線、エーレンシュタイン錯視）の効果が生ずる。具体的には、隣接する二本の線状部２１の側端及び補助線部３の上端によって包囲された空白Ｓの部分に、あたかも半円形または円形のドットが設けられているかのように感じられ、並びに、上下方向に沿って間欠的に並んでいる補助線部３が、主罫線２と直交し上下方向に連続的に伸びているような主観的な縦の罫線の存在を認識させる。
【００２２】
左右方向に伸びる罫線に加えて、上下方向に伸び当該罫線と直交する縦の罫線をもページに印刷してある従前の縦横罫線タイプのノートは、そのページを方眼紙や原稿用紙の如く使用するような用途には確かに有用である。事実、数式やグラフ、幾何学的な図形、規則的なチャート等を描くには、普通罫線タイプのノートに比して格段に便利である。だがしかし、かかる縦横罫線タイプのノートの罫線の見た目は、必ずしも心地よい感じがしない。このことは、人間の心理的な側面に理由がある。人間は、幾何学的な規則性を有する刺激を不快と感じる場合があり、これを視覚的ストレス（ｖｉｓｕａｌ  ｓｔｒｅｓｓ）という。例えば、規則的なストライプ・パターンを見ると、眼が痛いような不快感を覚えることがあるのは誰しも経験があるであろう。その原因は、明暗のストライプ領域によって形成される明確な境界線に生じる物理的輝度差にあるものと考えられる。
【００２３】
刺激条件に応じて物理的に存在しない輪郭が見えるという「主観的輪郭線」現象は、人間の視知覚の一つの特性を示すものとして、知覚心理学の領域でよく知られている。この視覚特性を利用し、実在しないドット及び縦の罫線を主観的輪郭線によって構成することを企図したのが、本実施形態のノートの眼目である。つまり、本ノートにあって、実際に印刷されている罫線は、規則的に空白部２２が配置された主罫線２のみである。縦横罫線タイプのノートのように、行に沿って伸びる罫線と交わり行を横切る多数本の縦罫線による物理的輝度差が存在しない。従って、縦横罫線タイプのノートと比較して使用者に与える視覚的ストレスが大いに軽減されているにもかかわらず、使用者にとっては主観的輪郭線によって生じる縦方向の罫線もしっかりと見えるように感じられ、多種多様な用途に適することとなる。
【００２４】
本ノートを使用することによる作業効率の向上効果を検証するべく、以下に述べるような作業検査を実施した。即ち、図４に示すように、ノートのページを構成する用紙１の最上段の行に予め一桁の数字を複数記載しておき、被験者に左側から順に隣り合う二つの数字の和（和が二桁の値になる場合には、その一の位の数字）を次の行であってそれら二つの数字の間にあたる箇所に記入させる。例えば、最上段の行に「４５３６７６４８９１３７８９２６」と記載されているならば、被験者はその次の行である二行目に「９８９３３０２７０４０５７１８」と記入する。以降、被験者が記入を終えた行の数字の列について、同様の計算及びその次の行への結果の数字の記入を反復的に行わせる。最終的に、被験者はある行に一つの数値を記入して作業を終える。
【００２５】
このような作業検査を、本実施形態のノートの他、既存のノートについて実行した。今般の作業検査に用いた既存のノートの用紙に付されている罫線の態様を、図１１及び図１２に示している。なお、図１２は、ドット罫線タイプのノートの罫線である。
【００２６】
被験者は、十八歳から二十歳の男女各十名の計二十名である。各被験者は、各ノート毎にそれぞれ百二十回の単純計算及び結果記入の作業を行った。故に、全被験者を総合すれば、各ノート毎にそれぞれ二千四百回の作業がなされたこととなる。その結果生じた誤答の回数は、本実施形態のノートでは零回、図１１に示すノートでは七回、図１２に示すノートでは三回であった。人間は、どれほど容易な作業であれ、全く間違いを犯さないということは極めて希である。それを考慮すれば、本実施形態のノートを用いた作業課題における誤答数が零という結果は驚異的である。誤答が零と一の違いは、誤答が一と二の違いとは意味が異なる。「誤答がない」ということと「誤答がある」ということとは、文字通り雲泥の差である。
【００２７】
上述の作業検査において生じた誤答に関して、誤答数そのものではなく、誤答をした被験者の数に注目して分析（カイ二乗検定）を行い、誤答が皆無であった本実施形態のノートと誤答があった図１１のノートとを比較したところ、前者は後者よりも有意に（ｐ＝０．０１７）誤答をした被験者が少ないという結論が得られた。これは、本実施形態のノートが、従前のノートよりも使用者の集中力を高め（集中を妨げず）作業効率を向上させる効能を有することを示唆している。
【００２８】
また、本実施形態のノートの用紙１には、上記の主罫線２及び補助線部３に加えて、使用者の視線が一部の領域に停滞するのを抑制するための視線誘導用の目印４を付している。この目印４は、左右方向に沿って延伸する主罫線２に対して斜めに交差するような傾斜領域、特に用紙１の紙面の右上から左下に延びる傾斜領域に沿って設けられる。より具体的には、目印４が、ノートの各ページ１内に存在する少なくとも三本の主罫線２にそれぞれ重ねて配置されている。第一の目印４は、ページ１内の上段側に位置する主罫線（図示例では、五行目の直下の主罫線）２の右端に配され、第二の目印４は、下段側に位置する主罫線（二十五行目の直下の主罫線）２の左端に配されている。そして、第三の目印４が、それら両罫線２の中間に位置する主罫線（十五行目の直下の主罫線）２の左右方向の中央に配される。
【００２９】
各目印４は、罫線の線幅、即ち主罫線２の線状部２１及び補助線部３の線幅よりも直径の大きい（例えば、第一及び第二の目印４は直径１ｍｍ、第三の目印４はそれよりも若干小さい直径０．８ｍｍ）円形のドット状をなす。他方、主罫線２の空白部２２には、主観的輪郭線の効果により半円形状または円形状の主観的なドットが使用者に知覚されるとはいえ、主罫線２に重なるように配置される実在のドットは（後述するドット５、６を除き）目印４以外には存在しない。このため、使用者の眼には目印４が明確に視認されることとなり、当該目印４による視線誘導の効果が顕在化する。目印４の存在により、本ノートのページ１を見る使用者の眼は横方向に動きやすくなる。
【００３０】
なお、中間の主罫線２における、第三の目印４から左右方向に離間した位置に、第三の目印４を中心として対称な（第三の目印４から等距離にある）一対の円形のドット５を付している。また、ページ１内における、上から数えて所定倍数の行（図示例では、五行目、十行目、十五行目、二十行目及び二十五行目）の直下にある主罫線２の左右両側端にも、ドット６を付している。これらドット５、６の直径は、上記の目印４の直径よりも小さい（例えば、直径０．５ｍｍ）。
【００３１】
本実施形態では、行を示唆する複数本の罫線が施された用紙１を具備してなるノートであって、前記各罫線が、線状部２１と空白部２２とを交互に配してなる罫線本体（主罫線）２と、少なくとも前記線状部２１に交差することなく前記各空白部２２にそれぞれ対応させて前記罫線本体２に接近配置された複数の補助線部３とを備えたものを構成した。本実施形態によれば、ドット罫線タイプのノートの利点を大きく損ねることなく、より好印象で使い勝手の良い新たなノートを実現できる。
【００３２】
前記補助線部３が、前記空白部２２の仮想中央点２２１を離れた位置から指し示すように配されているため、補助線部３の延長線と線状部２１の延長線とが交わらず、使用者の目に広くすっきりとした風通しのよいような印象を与える。
【００３３】
前記罫線が、左右方向に延びるものであり、前記補助線部３が、前記罫線本体２の下側にのみ施されているため、横書き用のノートとして特に好適となる。
【００３４】
前記補助線部３が、前記罫線本体２に対して直角をなす向きに配されたものであるため、各行の罫線本体２に付随する補助線部３が上下方向に沿って一直線上に並ぶこととなり、それら複数の補助線部３による主観的輪郭線の効果が発生し、実在はしないが使用者には認識される主観的な縦罫線が形成される。この主観的な縦罫線は、縦横罫線タイプのノートと比較して視覚的ストレスを使用者に与えにくい。
【００３５】
また、各空白部２２の両側に位置する線状部２１の端と、前記各補助線部３の前記空白部２２に臨む端とによって空白Ｓの円形または半円形がそれぞれ形成されるため、主観的輪郭線の効果によりその空白Ｓに主観的なドットが現れる。しかも、このドットは実在しておらず、視線誘導のための目印４を埋没させることなく、寧ろ逆に目印４を際立たせることにもなって、目印４による視線誘導の効果を増進できる。視線誘導のための目印４の径を極端に大きくする必要もなくなる。
【００３６】
前記補助線部３は、前記線状部２１と同一または略同一の線幅を有したものであるため、罫線本体２よりも強く目立つことがなく、本来の主罫線である罫線本体２を徒に埋没させずに済む。
【００３７】
なお、本発明は以上に詳述した実施形態に限られるものではない。例えば、上記実施形態では補助線部３を罫線本体２の下側にのみ施していたが、図５に示すように、補助線部３を罫線本体２の上側にのみ施してもよいし、図６に示すように、補助線部３を罫線本体２の上下両側に施してもよい。
【００３８】
図７に示すように、罫線本体２の上下両側に存在する補助線部３を、行間ピッチの大きさに近い長さまで延長することも考えられる。この場合にも、罫線本体２の各空白部２２の両側に位置する線状部２１の端と、各補助線部３の空白部２２に臨む端とによって空白Ｓの円形がそれぞれ形成され、その空白Ｓに実在しない主観的なドットが現れることとなる。このような補助線部３は、必ずしも実線であるとは限らず、破線または鎖線等であることを排除するものではない。図７に示すノートの罫線は、主罫線となる罫線本体２と補助罫線３とが交わらない、即ち重なり合わない点で、既存の方眼紙状の縦横罫線タイプのノートと異なる。
【００３９】
また、図８に示すように、補助線部３が、空白部２２を貫通して罫線本体２の上側及び下側に突出するような線分である態様もとり得る。この場合、空白部２２に主観的なドットが現れる効果は生じないものの、各行の罫線本体２に付随する補助線部３が上下方向に沿って一直線上に並び、それら複数の補助線部３による主観的な縦罫線が現れる効果は生ずる。
【００４０】
前記補助線部３が常に、前記罫線本体２に対して直角をなす向きに配されるとは限らない。図９に示すように、補助線部３が罫線本体２に対して平行な向きをとることもあり得る。
【００４１】
本発明は、ノートの各ページを構成する用紙１だけでなく、一枚単位に分離可能なルーズリーフ、レポート用紙、メモ帳その他の用紙に適用することができる。
【００４２】
さらに、上記実施形態におけるノートは横書き用のものであったが、図１０に示すように、本発明を縦書き用のノートまたは用紙１に適用することも当然に可能である。図示例の用紙１は、行の伸びる上下方向に沿って延伸する罫線本体２に対して直角をなす向きに配される補助線部３を、罫線本体２の左側にのみ施しているが、補助線部３を罫線本体２の右側にのみ施してもよく、罫線本体２の左右両側に施してもよい。
【００４３】
そして、視線誘導用の目印４は必須ではない。ドット５、さらにはドット６も必須ではない。
【００４４】
その他各部の具体的構成は、本発明の趣旨を逸脱しない範囲で種々変形が可能である。
【産業上の利用可能性】
【００４５】
本発明は、筆記用のノート及び用紙に適用することができる。
【符号の説明】
【００４６】
１…用紙
２…罫線本体（主罫線）
２１…線状部
２２…空白部
２２１…仮想中央点
３…補助線部
Ｓ…空白の円形または半円形
【図１】
0006749109.tif 000002
【図２】
0006749109.tif 000003
【図３】
0006749109.tif 000004
【図４】
0006749109.tif 000005
【図５】
0006749109.tif 000006
【図６】
0006749109.tif 000007
【図７】
0006749109.tif 000008
【図８】
0006749109.tif 000009
【図９】
0006749109.tif 000010
【図１０】
0006749109.tif 000011
【図１１】
0006749109.tif 000012
【図１２】
0006749109.tif 000013